(57)【要約】【課題】リフィールの交換を容易かつ安価に行うことが可能なワイパーブレードを提供すること。【解決手段】本発明に係るワイパーブレード２０は、払拭面に対して均一な付勢力を付加するために弓なりに湾曲した長尺板からなるバーティブラ本体部２１と、バーティブラ本体２１に取り付けられてリフィール４を交換可能に保持するホルダー２２とを備えている。【選択図】  図１
2005035339.tif 000002
【特許請求の範囲】
【請求項１】
リフィールを保持するためのワイパーブレードであって、
払拭面に対して均一な付勢力を付加するために弓なりに湾曲した長尺板からなるバーティブラ本体部と、
該バーティブラ本体部に取り付けられて前記リフィールを交換可能に保持するホルダーと
を備えることを特徴とするワイパーブレード。
【請求項２】
前記ホルダーは、前記リフィールの頭部に幅方向及び上下方向で係合する係合部を備え、
該係合部に対して前記リフィールを前記バーティブラ本体部の長尺方向にスライドさせることによって、当該リフィールを前記係合部より抜き出して他のリフィールに交換することが可能なことを特徴とする請求項１に記載のワイパーブレード。
【請求項３】
前記バーティブラ本体部は、円柱状に形成された弾性金属棒を径方向に圧縮して平らにすることによって長尺板形状に形成されたものであることを特徴とする請求項１又は請求項２に記載のワイパーブレード。
【発明の詳細な説明】
【０００１】
【発明の属する技術分野】
本発明は、リフィールを交換することが可能なワイパーブレードに関する。
【０００２】
【従来の技術】
図１３は、一般的に使用されているワイパー１を示した側面図である。ワイパー１は、ワイパーアーム２と、ワイパーブレード３と、リフィール４とを備えている（例えば、非特許文献１、非特許文献２参照。）。
【０００３】
ワイパーアーム２は、図示を省略したワイパー駆動機構の駆動力に応じてウィンドウ面９に対して付勢力を加えながら略平行に往復運動を行う。ワイパーアーム２の先端部はＵ字状に曲げられている。
【０００４】
ワイパーブレード３は、ワイパーアーム２の先端部に取り付けられるプライマリレバー５と、プライマリレバー５の両端部に取り付けられる一対のセカンダリレバー６と、各セカンダリレバー６の一端に取り付けられるヨーク７とにより構成されている。プライマリレバー５のほぼ中央部には、ワイパーアーム２のＵ字先端部が係合するＵ字クリップがリベット１０によって取り付けられており、プライマリレバー５はこのリベット１０を支点として両端部が揺動可能な状態となっている。プライマリレバー５の両端部にはリベット１１によりセカンダリレバー６が１つずつ取り付けられており、各セカンダリレバー６はリベット１１を支点として揺動可能な状態となっている。各セカンダリレバー６の一端には、それぞれヨーク７が１つずつリベット１２により取り付けられており、ヨーク７もリベット１２を支点として揺動可能な状態となっている。ヨーク７の両端部及びセカンダリレバー６の他端には、リフィール４を保持する係合爪１５が設けられている。
【０００５】
図１４は、リフィール４を示した斜視図である。リフィール４は、ゴムにより形成されたリフィール本体部１６と、リフィール本体部１６に対してワイパーブレード３の付勢力を均一に付与するための金属レール１７とを備えている。リフィール本体部１６は、ウィンドウ面９を払拭する逆三角形の断面を有するエッジ部１８と、上部に位置する頭部１９と、エッジ部１８と頭部１９とを繋ぐ首部１６ａとにより構成されている。頭部１９は、四角形の断面形状を有しており、左右側壁面には、係合爪１５の端部が案内される案内溝１９ａが形成されている。金属レール１７は、頭部１９に形成された案内溝１９ａの上方に取り付けられている。
【０００６】
ワイパーブレード３は、リフィール本体部１６の案内溝１９ａに係合爪１５の先端を案内させてリフィール４を保持する。リフィール４は６カ所の係合爪１５で保持されているだけなので、係合爪１５はリフィール４が係合爪１５から容易に脱落しないように、リフィール４を側方から強固に挟み込んでリフィール本体部１６及び金属プレート１７を強く把持する構造となっている。
【０００７】
一方、今日では、トーナメント状に組み立てられた複数のアームを用いることなくワイパーブレードを構成するワイパー（以下、フラットワイパーという）が考案されている（例えば、特許文献１参照）。図１５に示すように、フラットワイパー８は、上部にも断面３角形状の突起山部が形成されたリフィール１３と、リフィール１３を挟み込んでウィンドウ面９に対して付勢力を付与するバーティブラ本体部１４と、リフィール１３及びバーティブラ本体部１４を保持するクリップベース８ａとを備えている。リフィール１３は一対のバーティブラ本体部１４により左右から挟持されており、クリップベース８ａは、リフィール１３を挟持したバーティブラ本体部１４の長手方向中央部に取り付けられている。
【０００８】
【特許文献１】
特表２００１−５０００９１号明細書  図２参照。
【非特許文献１】
斉藤孟監修「自動車工学全書  １０電装品、車体装備品エンジン部品」山海堂出版、昭和５５年１０月１５日発行、Ｐ．１２６−１２８
【０００９】
【非特許文献２】
「自動車のメカはどうなっているか」株式会社グランプリ出版、１９９３年６月３０日第２版発行、Ｐ．１９３−１９７
【００１０】
【発明が解決しようとする課題】
しかしながら、図１５に示したワイパーブレード８では、リフィール１３がバーティブラ本体部１４を介してクリップベース８ａに強固に固定されており、また、リフィール１３は独特な形状を有しているので、リフィール１３だけを交換することが容易ではなかった。
【００１１】
このため、リフィール１３の劣化等により払拭効果が低下した場合には、リフィール１３だけでなくバーティブラ本体部１４及びクリップベース８ａも一緒に交換する必要があるので、交換コストが高くなってしまうという問題があった。
【００１２】
また、バーティブラ本体部１４及びクリップベース８ａが十分に使用可能な場合であっても、リフィール１３の交換毎にバーティブラ本体部１４及びクリップベース８ａを交換する必要が生ずるため、バーティブラ本体部１４及びクリップベース８ａを製品寿命まで十分に使用することができないという問題があった。
【００１３】
さらに、バーティブラ本体部１４及びクリップベース８ａを交換する場合には交換に伴う金銭的な負担が大きいことから、リフィール１３のゴムが劣化してもユーザが迅速にリフィール１３を交換しないおそれがあり、クリアな運転視界を常に確保することができない場合もあり得るという問題があった。
【００１４】
本発明は上記課題に鑑みてなされたものであり、リフィールの交換を容易かつ安価に行うことが可能なワイパーブレードを提供することを課題とする。
【００１５】
【課題を解決するための手段】
上記課題を解決するために、請求項１に係る発明は、リフィールを保持するためのワイパーブレードであって、払拭面に対して均一な付勢力を付加するために弓なりに湾曲した長尺板からなるバーティブラ本体部と、該バーティブラ本体部に取り付けられてリフィールを交換可能に保持するホルダーとを備えるワイパーブレードであることを特徴とする。
【００１６】
請求項２に係る発明は、請求項１に記載のワイパーブレードにおいて、前記ホルダーが前記リフィールの頭部に幅方向及び上下方向で係合する係合部を備え、該係合部に対して前記リフィールを前記バーティブラ本体部の長尺方向にスライドさせることによって、当該リフィールを前記係合部より抜き出して他のリフィールに交換することが可能なことを特徴とする。
【００１７】
請求項３に係る発明は、請求項１又は請求項２に記載のワイパーブレードにおいて、前記バーティブラ本体部が、円柱状に形成された弾性金属棒を径方向に圧縮して平らにすることによって長尺板形状に形成されたものであることを特徴とする。
【００１８】
【発明の実施の形態】
以下、本発明に係るワイパーブレードを、図面を用いて説明する。なお、ワイパーブレードに取り付けられるリフィールについて、従来と同一機能を有する部分には従来と同一の符号を付すとともにその説明を省略する。
【００１９】
図１に示すように、ワイパーブレード２０は、バーティブラ本体部２１と、６つのホルダー２２と、スペーサー２３と、クリップベース２４とを備えている。
【００２０】
バーティブラ本体部２１は、弾性を有する長尺金属板で構成されており、長尺方向に対して弓なりに湾曲した形状を呈している。バーティブラ本体部２１には、一定間隔Ｌを保って６個の凸部２５（符号２５ａ、２５ｂ含む）が配設されている。バーティブラ本体部２１は、円柱状に形成された弾性金属棒を径方向に圧縮することによって平らに加工したものである。このようにして加工することにより、角部が存在しない滑らかな断面形状を形成することが可能となるとともに、弓なりに湾曲させた長尺板の中央部を押し下げて平らにした場合に、バーティブラ本体部２１の下面に加えられる付勢力を均等にすることが容易となる。
【００２１】
ホルダー２２は、図２〜図６に示すように、底面３０に切り欠き部が形成された中空長方形柱を呈しており、中空内部幅長Ｒ１は、図７に示すように、バーティブラ本体部２１の幅長Ｒ２と同幅か僅かに幅広に規定されている。また、ホルダー２２の上面３１中央部には、凸部２５が勘合する嵌合孔３２が形成されている。ホルダー２２は、バーティブラ本体部２１への取り付けを考慮して僅かな弾性を有する強化プラスチック又は金属で形成されている。
【００２２】
底面３０には、底面視略台形形状を呈する一対の底面係合部３０ａと、底面係合部３０ａに隣接して端部が上面３１側に折り返された断面Ｕ字形状を呈する側方係合部３０ｂとが設けられている。さらに、ホルダー２２の左右側面には、互いに対向する傾斜突起片３５が形成されており、対向する傾斜突起片３５の先端部は、側面より上面３１側に進むに従ってその間隔が狭くなっている。
【００２３】
スペーサー２３は、ホルダー２２と同様に、底面３６に切り欠き部が形成された中空長方形柱を呈しており、中空内部幅長Ｒ３は、図８に示すように、バーティブラ本体部２１の幅長Ｒ２と同幅か僅かに幅広に規定されている。また、中空内高さＨ１は、バーティブラ本体部２１の高さＨ２よりも嵩高となっており、スペーサー２３内に収納されたバーティブラ本体部２１が、ウィンドウ面を払拭する際に自由に上下動できるように隙間３７が設けられている。この隙間３７は、払拭時にリフィール４のエッジ部１８の倒れ角を確保する役割をも有している。
【００２４】
クリップベース２４は、底面にスペーサー２３に係合する爪部３９が形成されており、中央部上面には、ワイパーアームとの連結を行うためのＵ字フック４０がリベット４１により回動可能に取り付けられている。クリップベース２４がスペーサー２３に係合される場合、クリップベース２４はスペーサー２３との間に隙間が生じないように密着した状態で強固に固定される。このため、ワイパー駆動時にクリップベース２４とスペーサー２３との間にガタツキや振動等が生じることはない。
【００２５】
次に、バーティブラ本体部２１に、ホルダー２２、スペーサー２３、クリップベース２４、リフィール４を取り付ける方法を説明する。
【００２６】
まず、スペーサー２３をクリップベース２４の爪部３９でクリップベース２４に強固に固定させてから、スペーサー２３の側部開口からバーティブラ本体部２１を挿通させて、バーティブラ本体部２１の中央部にスペーサー２３及びクリップベース２４を移動させる。バーティブラ本体部２１の中央部に移動されたスペーサー２３及びクリップベース２４は、スペーサー２３内に隙間３７が設けられているためある程度上下動を行うことが可能であるが、内部幅長Ｒ３がバーティブラ本体部２１の幅長Ｒ２と同幅か僅かに幅広であるだけなので幅方向での移動は規制されている。
【００２７】
次に、スペーサー２３及びクリップベース２４に近接して設けられた凸部２５ａ、２５ｂにホルダー２２の嵌合孔３２が嵌入するようにしてホルダー２２を設置する。ホルダー２２をバーティブラ本体部２１に取り付ける場合、まず、図７に示すように、バーティブラ本体部２１をホルダー２２内部の傾斜突起片３５の下側の空間（以下、下部空間とする。）４２に挿通させる。バーティブラ本体部２１の凸部２５がホルダー２２の嵌合孔３２の真下に位置するようにホルダー２２をスライドさせた後に、ホルダー２２の内部上面３１ａをバーティブラ本体部２１の上面２１ａに当接させるようにして、ホルダー２２に対して下向きの力を加え、バーティブラ本体部２１に対して上向きの力を加える。すると、バーティブラ本体部２１の側端部２１ｂが傾斜突起片３５の傾斜面を移動して傾斜突起片３５の先端部を乗り越えて、バーティブラ本体部２１の下面２１ｃが傾斜突起片３５の先端部で支持される状態となるとともに、凸部２５が嵌合孔３２に嵌入されて固定される。特に、バーティブラ本体部２１は、円柱状の弾性金属棒を径方向に圧縮して加工されたものであり、傾斜突起片３５に当接する側面部２１ｂが滑らかな曲面で構成されているので、バーティブラ本体部２１は傾斜突起片３５をスムースに乗り越えることができる。このようしてバーティブラ本体部２１の凸部２５がホルダー２２の嵌合孔３２に嵌入すると、ホルダー２２がバーティブラ本体部２１に固定される。
【００２８】
ホルダー２２が凸部２５ａ、２５ｂ位置に固定されると、ホルダー２２は、その端面でクリップベース２４及びスペーサー２３の端面に当接して長手方向に対する位置決めを行う。具体的には、スペーサー２３及びクリップベース２４の長尺方向の長さＬ４とホルダー２２の嵌合孔３２の中心から端部までの長さＬ５との和（Ｌ４＋Ｌ５＋Ｌ５）を、バーティブラ本体部２１に形成される凸部２５ａと凸部２５ｂとの間隔Ｌに等しくすることによって、クリップベース２４及びスペーサー２３の長手方向の移動をホルダー２２が規制する。このように、ホルダー２２をスペーサー２３及びクリップベース２４に当接させてバーティブラ本体部２１に取り付けることによって、スペーサー２３及びクリップベース２４をバーティブラ本体部２１に固定するための特別な部材等を設けなくてもスペーサー２３及びクリップベース２４をバーティブラ本体部２１の所定位置に固定させることができる。
【００２９】
同様にして、バーティブラ本体部２１の他の凸部２５をホルダー２２の嵌合孔３２に嵌入させることによって、ホルダー２２をバーティブラ本体部２１に固定するための他の部材を用いることなく確実にバーティブラ本体部２１に固定させることが可能となる。
【００３０】
バーティブラ本体部２１に６個のホルダー２２と、スペーサー２３及びクリップベース２４とを固定した後に、ホルダー２２の下部空間４２に、バーティブラ本体部２１の長手方向からリフィール４の頭部１９を挿通させる。リフィール４をホルダー２２の下部空間４２に挿通させることによって、図９、１０に示すように、リフィール４の頭部１９のくびれ部分に底面係合部３０ａが入り込んで、底面係合部３０ａの上面が頭部１９の下面に係合するとともに、頭部１９の側面がホルダー２２の側方係合部３０ｂに当接して横方向（バーティブラ本体部２１の幅方向）の動きを規制する。このため、ホルダー２２の底面係合部３０ａ及び側方係合部３０ｂによりリフィール４の頭部１９における横方向及び上下方向の動きを規制することができる。
【００３１】
また、リフィール４の長手方向に関しては、リフィール４をスライドさせることによってホルダー２２から容易に取り外すことができるので、リフィール４を簡単に交換することが可能となる。また、リフィール４が劣化した場合には、ワイパーブレード２０を交換しなくてもリフィール４だけを交換すれば良いので、リフィール交換に要するコストの低廉化を図ることができる。このように、低コストで簡単にリフィール４を交換することができるので、常にクリアな視界を確保することが可能となる。
【００３２】
また、ホルダー２２の底面係合部及３０ａ及び側方係合部３０ｂにより頭部１９の横方向及び上下方向の動きが規制されても、エッジ部１８は規制されていないので払拭時にエッジ部１８を傾斜させることできる。さらに、弓なりに湾曲したバーティブラ本体部２１により払拭面に均一に付勢力を加えることができ、スペーサー２３に設けられる隙間３７により払拭時にエッジ部１８の先端に無理な加重を加えることなく自由な傾斜状態を許容することができるので、十分な払拭能力を確保することができる。
【００３３】
以上、本発明に係るワイパーのワイパーブレード２０について図面を用いて説明を行ったが、本発明に係るワイパーブレード２０は上述したものに限定されるものではない。例えば、上述した実施の形態において、ホルダー２２をバーティブラ本体２１に６個取り付けた例を説明したが、ホルダー２２の数は６個には限定されず、６個より多くても少なくても良い。また、ホルダー２２の形状も上述したものには限定されず、バーティブラ本体２１に取り付けられたホルダー２２が、リフィール４を交換可能に保持することが可能で有ればよい。
【００３４】
例えば、図１１（ａ）、（ｂ）に示すような断面形状を呈するホルダー２２’であっても良い。ホルダー２２’の場合には、上部空間４７にバーティブラ本体部２１を挿通させて固定し、下部空間４８にリフィール４を挿通させて固定することが可能となる。また、図１２に示すように、バーティブラ本体部２１’に対して嵌合孔４９を設けるとともに、ホルダー２２”に対して下方に突出する凸部５０を設けて、バーティブラ本体部２１’の嵌合孔４９に凸部５０を嵌入させることによってバーティブラ本体部２１’とホルダー２２”との位置決めを行っても良い。
【００３５】
さらに、本発明の実施の形態においては、スペーサー２３とクリップベース２４を別部材としたが一体の部材としてもよい。
【００３６】
【発明の効果】
以上説明したように、本発明に係るワイパーブレードを上述した構造とすることによって、リフィールを今までよりも簡単に交換することが可能となる。また、リフィールが劣化した場合には、ワイパーブレードを交換しなくてもリフィールだけを交換すれば良いので、リフィール交換に要するコストの低廉化を図ることが可能となる。
【図面の簡単な説明】
【図１】図１は、本発明に係るワイパーブレード及びリフィールを示した展開斜視図である。
【図２】図２は、ホルダーを示した底面図である。
【図３】図３は、ホルダーを示した平面図である。
【図４】図４は、ホルダーの側方係合部及び底面係合部の断面を示した側面図である。
【図５】図５は、ホルダーの傾斜突起片を示した側面図である。
【図６】図６は、図４に示したホルダーのＡ−Ａ断面を示した図である。
【図７】図７は、ホルダーにバーティブラ本体部が挿通されたときを示した断面図である。
【図８】図８は、バーティブラ本体部に取り付けられたスペーサー及びクリップベースを示した断面図である。
【図９】図９は、図１に示したバーティブラを組み立ててリフィールを取り付けた斜視図である。
【図１０】図１０は、図９に示したバーティブラのＢ−Ｂ断面を示した図である。
【図１１】図１１は、他のホルダー例を示した図であり、（ａ）はホルダーの斜視図であり、（ｂ）はホルダーの断面図である。
【図１２】図１２は、更に異なるホルダー例を示した断面図である。
【図１３】図１３は、従来のワイパーを示した側面図である。
【図１４】図１４は、リフィールの端部を示した斜視図である。
【図１５】図１５は、フラットワイパーを示した斜視図である。
【符号の説明】
４、１３  リフィール
８、２０  ワイパーブレード
１６  リフィール本体部
１８  エッジ部
１９  頭部
１４、２１  バーティブラ本体部
２２、２２’、２２”  ホルダー
２３  スペーサー
８ａ、１０、２４  クリップベース
２５、５０  凸部
３０ａ  底面係合部
３０ｂ  側方係合部
３２、４９  嵌合孔
３５  傾斜突起片
【図１】
2005035339.tif 000003
【図２】
2005035339.tif 000004
【図３】
2005035339.tif 000005
【図４】
2005035339.tif 000006
【図５】
2005035339.tif 000007
【図６】
2005035339.tif 000008
【図７】
2005035339.tif 000009
【図８】
2005035339.tif 000010
【図９】
2005035339.tif 000011
【図１０】
2005035339.tif 000012
【図１１】
2005035339.tif 000013
【図１２】
2005035339.tif 000014
【図１３】
2005035339.tif 000015
【図１４】
2005035339.tif 000016
【図１５】
2005035339.tif 000017